(57)【要約】【課題】スタンドの回路基板収納部の省スペース化が図れ、扇風機の意匠性を向上させることができるようにする。【解決手段】回路基板を、スタンド内にて２つ以上に分割し、これら分割された回路基板を上方向から見て少なくとも一部が重なるように配置する。これにより、上方向から見て回路基板が占有するスペースを従来よりも小さくして、スタンドの回路基板収納部の省スペース化を図り、扇風機３０の意匠性を向上させる。【選択図】図４
2014001662.tif 000002
【特許請求の範囲】
【請求項１】
羽根を駆動する電動機部を支持するスタンド内に、該電動機部の運転を制御する電子回路の回路基板を収容した扇風機であって、
前記回路基板は、２つ以上に分割され、これら分割された回路基板は上方向から見て少なくとも一部が重なるように配置されていることを特徴とする扇風機。
【請求項２】
前記スタンドは、上壁と底壁を備えた台座部を有し、該台座部内に前記分割された回路基板が収納されており、
前記台座部には、前記分割された回路基板を固定するための複数の基板固定ボスが、前記上壁より垂下させて設けられており、
前記分割された回路基板のうち、最下位に位置する前記回路基板以外の前記回路基板には、それよりも下位に位置する回路基板を固定するための前記基板固定ボスが貫通可能な第１の貫通穴が設けられており、
前記複数の基板固定ボスのうち、最上位に位置する回路基板を固定する前記基板固定ボス以外の前記基板固定ボスには、その前記第１の貫通穴を貫通した端部に、対応する回路基板が固定されていることを特徴とする請求項１記載の扇風機。
【請求項３】
前記分割された回路基板のうち、最下位に位置する回路基板には、対応する基板固定ボスの一部が貫通可能な第２の貫通穴が設けられており、
前記複数の基板固定ボスのうち、最下位に位置する回路基板を固定する基板固定ボスには、端部から延出し前記第２の貫通穴を貫通して前記台座部の前記底壁に到達する脚部が設けられていることを特徴とする請求項２記載の扇風機。
【請求項４】
前記回路基板は、操作基板と電源基板とに分けられて分割されていることを特徴とする請求項１乃至請求項３のいずれかに記載の扇風機。
【発明の詳細な説明】
【技術分野】
【０００１】
本発明は、扇風機に関し、特にその回路基板の取り付け構造に関する。
【背景技術】
【０００２】
近年、扇風機は機能の多様化や直流電動機の搭載など、多機能化が進んでいる。そのため、直流電動機に供給する電源を作り出すための回路（インバータ回路）が必要となる場合がある。その場合、比較的大きい電機部品（例えばコンデンサ等）を実装する必要があり、回路基板が大型化する傾向にある（例えば、特許文献１参照）。
【先行技術文献】
【特許文献】
【０００３】
【特許文献１】特開２０１１−１９０６９２号公報（図２、図３）
【発明の概要】
【発明が解決しようとする課題】
【０００４】
特許文献１の室外機においては、一枚の回路基板に操作用の電子部品や電源用のスイッチング素子や電機部品等が実装され、スタンドの例えば台座部内に収容されるようになっている。そのため、多機能化に伴い大型化した回路基板を収納するスタンドも大型化が必要となっていた。そして、このスタンドの大型化が扇風機の意匠デザインをする上での制約条件や、スタンドの材料使用量の増加を招き、コストアップとなるなどの課題となっていた。
【０００５】
本発明は、前記のような課題を解決するためになされたもので、スタンドの回路基板収納部の省スペース化が図れ、扇風機の意匠性を向上させることができるようにすることを目的としている。
【課題を解決するための手段】
【０００６】
本発明に係る扇風機は、羽根を駆動する電動機部を支持するスタンド内に、電動機部の運転を制御する回路基板を収容した扇風機であって、前記回路基板は、２つ以上に分割され、これら分割された回路基板は上方向から見て少なくとも一部が重なるように配置されているものである。
【発明の効果】
【０００７】
本発明に係る扇風機においては、回路基板が、スタンド内にて２つ以上に分割され、これら分割された回路基板が上方向から見て少なくとも一部が重なるように配置されているので、上方向から見て回路基板が占有するスペースを従来よりも小さくすることができる。このため、スタンドの回路基板収納部の省スペース化が図れ、扇風機の意匠性を向上させることができる。
【図面の簡単な説明】
【０００８】
【図１】本発明の実施形態に係る扇風機の全体構成を示す側面図である。
【図２】本発明の実施形態に係る扇風機の台座部の構成を示す上面図である。
【図３】本発明の実施形態に係る扇風機の台座部の構成を示す縦断面図である。
【図４】本発明の実施形態に係る扇風機の回路基板の固定部分を拡大して示す縦断面図である。
【図５】本発明の実施形態に係る扇風機の下側基板固定ボスと下基板との関係を示す横断面図である。
【発明を実施するための形態】
【０００９】
図１は本発明の実施形態に係る扇風機の全体構成を示す側面図である。
本発明の実施形態に係る扇風機３０は、図１のようにスタンドが台座部１０とこれに直立させて設けられた支柱２３とで構成され、支柱２３の上に、羽根２２と、羽根２２と手が直接触れないようにするための保護ガード２１と、羽根２２を駆動する電動機部２０が配置され、支持されている。
【００１０】
図２は本発明の実施形態に係る扇風機の台座部の構成を示す上面図である。図３は本発明の実施形態に係る扇風機の台座部の構成を示す縦断面図である。図４は本発明の実施形態に係る扇風機の回路基板の固定部分を拡大して示す縦断面図である。
台座部１０は、図３のように台座枠２４を備えた上壁６と底壁７とを有し、底壁７により底面が閉じられ、底壁７と共に台座枠２４に嵌合され、台座固定ナット２５により台座枠２４と固定される。台座部１０には、図２乃至図４のように扇風機３０（図１）の運転を制御する電子回路が、上基板４と下基板３に分割されて収められ、電動機部２０（図１）と電気的に接続され、運転を制御するようになっている。近年の直流電動機を用いた扇風機３０などでは、既述したように直流電動機に供給する電源を作り出すための回路が必要となり、電子回路が大型化する傾向にある。そのため、本実施形態では、扇風機３０の運転を制御する電子回路の回路基板を、上基板（以下、「操作基板」という）４と、電源を作り出す下基板（以下、「電源基板」という）３とに２分割し、これら分割された回路基板は、上方向から見て少なくとも一部が重なるように配置し、台座部１０の内部に収まるようにしている。なお、ここでは図４のように上方向から見て操作基板４のエリア内に電源基板３が収まるように配置している。
【００１１】
操作基板４は、図４のように台座部１０の上壁６より垂下させて設けられた上側基板固定ボス２の固定穴４ｂに固定ねじ５により固定される。また、操作基板４には、第１の貫通穴である貫通穴４ａが２箇所に設けられており、それぞれに台座部１０の上壁６より垂下させて設けられた下側基板固定ボス１が貫通している。
電源基板３は、図４のように台座部１０に設けられて操作基板４の貫通穴４ａを貫通する下側基板固定ボス１の固定穴３ｂに、固定ねじ５により固定される。
【００１２】
図５は本発明の実施形態に係る扇風機の下側基板固定ボスと下基板（電源基板）との関係を示す横断面図である。
図５に示すように、電源基板３には、第２の貫通穴である貫通孔３ａが設けられている。下側基板固定ボス１には、端部から延出し電源基板３の貫通孔３ａを貫通し、先端が台座部１０の底壁７に到達する一対の脚部１ａが設けられている。
【００１３】
以上のように、本発明の実施形態に係る扇風機は、扇風機３０の運転を制御する電子回路の回路基板を、操作基板４と電源基板３とに２分割し、これら２分割された回路基板（操作基板４と電源基板３）が、上方向から見て少なくとも一部が重なるように（ここでは操作基板４のエリア内に電源基板３が収まるように）配置し、台座部１０の内部に収めるようにしたので、上方向から見て回路基板が占有するスペースを従来よりも小さくすることができる。また、電源基板３に比較的大きい電機部品（例えばコンデンサ等）が集約して実装されるので、比較的大きい電機部品が、分割された回路基板に分散されて実装された場合と比べて、積層配置したときの高さ方向の設置スペースの増大を抑制することができる。このため、スタンドの回路基板収納部の省スペース化が図れ、扇風機３０の意匠性を向上させることができる。
【００１４】
また、上側の操作基板４に貫通穴４ａを設け、この貫通穴４ａを貫通する下側基板固定ボス１に電源基板３を固定するようにしたので、電源基板３が操作基板４より小さい場合でも、電源基板３を固定するための構造物を操作基板４の外形寸法範囲の外に設ける必要が無く、電源基板３を操作基板４の上から見た投影面積内に完全に収めることができる。このため、さらなる省スペース設計やコスト低減が可能となり、デザインの幅を広げることができる。  
【００１５】
さらに、操作基板４を貫通し電源基板３を固定する下側基板固定ボス１の一部（一対の脚部１ａ）が、電源基板３に設けられた貫通孔３ａをさらに貫通し、先端が台座部１０の底壁７に到達するように構成しているため、下側基板固定ボス１が台座部１０の上下方向の補強部となり、足などで踏みつけられたときに台座部１０及び回路基板の破損を防止することができる。
【００１６】
なお、前述の実施形態では回路基板を操作基板４と電源基板３の２つに分割したものを例に挙げて説明したが、回路基板の分割数は３つ以上としてもよい。この場合も前述の実施形態と同様に、台座部１０には、３つ以上に分割された回路基板を固定するための複数の基板固定ボス（図４の下側基板固定ボス１や上側基板固定ボス２に相当）を、上壁６より垂下させて設ける。そして、分割された回路基板のうち、最下位に位置する回路基板（図４の電源基板３に相当）以外の回路基板には、それよりも下位に位置する回路基板を固定するための基板固定ボスが貫通可能な第１の貫通穴である貫通穴４ａを設ける。また、複数の基板固定ボスのうち、最上位に位置する回路基板を固定する基板固定ボス（図４の上側基板固定ボス２に相当）以外の基板固定ボスには、その貫通穴４ａを貫通した端部に、対応する回路基板を固定する。これにより、上方向から見た回路基板が占有するスペースを従来よりも小さくすることができる。
また、このように回路基板の分割数を３つ以上とする場合にも、専用の電源基板３を設けて、この電源基板３に比較的大きい電機部品（例えばコンデンサ等）を集約して実装することは好ましい。これにより、比較的大きい電機部品が、分割された回路基板に分散されて実装された場合と比べて、積層配置したときの高さ方向の設置スペースの増大を抑制することもできる。
【００１７】
また、前述の実施形態では操作基板４のエリア内に電源基板３が収まるように配置したものを例に挙げて説明したが、必ずしも一方の基板エリア内に他方の基板が収まるように配置する必要はなく、分割された回路基板は一部が重なるように配置されていれば所期の目的は達成できるものである。
【００１８】
また、前述の実施形態では、スタンドが台座部１０に回路基板を収容したものを例に挙げて説明したが、これを例えばスタンドの支柱２３の下部に回路基板収容部を確保してそこに回路基板を収容するようにしてもよい。
【符号の説明】
【００１９】
１  下側基板固定ボス、１ａ  脚部、２  上側基板固定ボス、３  電源基板（下基板）、３ａ，４ａ  貫通孔、３ｂ，４ｂ  固定穴、４  操作基板（上基板）、５  固定ねじ、６  上壁、７  底壁、１０  台座部、２０  電動機部、２１  保護ガード、２２  羽根、２３  支柱、２４  台座枠、２５  台座固定ナット、３０  扇風機。
【図１】
2014001662.tif 000003
【図２】
2014001662.tif 000004
【図３】
2014001662.tif 000005
【図４】
2014001662.tif 000006
【図５】
2014001662.tif 000007